(57)【要約】【課題】安全で、煙害の発生しない風船を使った爆竹を提供する。【解決手段】  煙害の発生しない風船を使った爆竹であり、懸吊することができる基板１１を有する支持ユニット１０を有しており、前記基板１１の一面には爆破構造が設けられており、前記一面には間隔をあけて複数の風船３０が設置されており、前記風船３０内には一般の空気が封入されているので環境保護の要求を満たしており、複数の風船３０は作動ユニットによって操作することができ、順番に爆破構造に接触させて爆発させ、爆竹のような連続する爆発音を発生させることができ、祝賀行事などの雰囲気をより賑やかにすることができ、爆竹の部分的な作用を代替することができ、尚且つ煙害が発生しない。【選択図】  図３ 
0003109208.tif 000002
【実用新案登録請求の範囲】
【請求項１】
支持ユニットと、風船と、作動ユニットとからなり、  
前記支持ユニットは、基板を有しており、前記基板は定位されており、前記基板には爆破構造が設けられており、
前記風船は、前記爆破構造と間隔をあけて設置されており、
前記作動ユニットは、前記風船を制御し、前記基板の爆破構造の方向へ移動させる構造になっており、前記風船を順番に前記爆破構造に接触させ、連続して爆発音を発生させることができる
ことを特徴とする煙害の発生しない風船を使った爆竹。
【請求項２】
前記爆破構造は、針を基板の一面から貫通させ、基板の他面から突出させた構造になっており、風船と前記他面の針は間隔をあけて設置されている
ことを特徴とする請求項１記載の煙害の発生しない風船を使った爆竹。
【請求項３】
前記支持ユニットには、基板の頂端に吊架部材が設けられており、固定されている基板と一定の距離が設けられており、基板の中心には貫通孔が設けられており、梁部の全部、後部、および貫通孔に対応する位置には導入溝が設けられており、
作動ユニットは、引き綱に複数の風船がひとつながりに結び付けられた構造になっており、前記引き綱は順番に貫通孔、導入溝を通っており、前記引き綱を引いた時、前記引き綱が複数の風船を連動し、基板の爆破構造の方向に移動させるのに便利になっている
ことを特徴とする請求項１記載の煙害の発生しない風船を使った爆竹。
【請求項４】
前記風船内は、一般の空気であることを特徴とする請求項１記載の煙害の発生しない風船を使った爆竹。
【考案の詳細な説明】
【技術分野】
【０００１】
本考案は、煙害の発生しない風船を使った爆竹に関わり、特に作動ユニットが風船を制御し、爆竹のような連続した爆発音を発生させ、煙害が発生しないという環境保護の要求を満たすことができる煙害の発生しない風船を使った爆竹に関わる。
【背景技術】
【０００２】
爆竹は、硫黄、硝石、炭素を利用して製造されており、毎年の新年や祝日を祝う時、或いは、結婚式の時には爆竹を使用して雰囲気をより賑やかにする。これは昔から続く伝統的な習慣であるが、不注意により手、目、耳等を怪我したり、火災を引き起こしたりするので、欧米各地においては爆竹の使用は禁止されており、中国においても北京では爆竹の使用が禁止されている。
【０００３】
製造者にとっても非常に危険であり、操作の過程での安全規則を破ったり、保管時に気を付けなかったりした場合、重大な事故になってしまい、最近では、２００３年１１月１６日の夜、苗栗県通霄鎮巨豊の爆竹工場で爆発事故が発生し、５人が死亡、１０人あまりが怪我を負い、その他多数の住民が病院で診察を受けた。中国での爆竹による死亡事故は非常に多く、このことから分かるように、硫黄、硝石、炭素からなる爆竹は改良の必要があり、安全に製造でき、使用上の要求を満たすことができ、雰囲気を賑やかにできる製品を開発する必要がある。
【０００４】
本考案の考案者は、このことを鑑み、研究、改良を行い、本考案を完成させた。
【考案の開示】
【考案が解決しようとする課題】
【０００５】
本考案の目的は、現在の爆竹製造、使用上における危険性を改善し、尚且つ煙害が発生しないという環境保護の要求を満たすことができる煙害の発生しない風船を使った爆竹を提供することである。
【課題を解決するための手段】
【０００６】
前記課題を解決するために、
請求項１の考案は、支持ユニットと、風船と、作動ユニットとからなり、  
前記支持ユニットは、基板を有しており、前記基板は定位されており、前記基板には爆破構造が設けられており、
前記風船は、前記爆破構造と間隔をあけて設置されており、
前記作動ユニットは、前記風船を制御し、前記基板の爆破構造の方向へ移動させる構造になっており、前記風船を順番に前記爆破構造に接触させ、連続して爆発音を発生させることができる
ことを特徴とする煙害の発生しない風船を使った爆竹である。
【０００７】
請求項２の考案は、前記爆破構造は、針を基板の一面から貫通させ、基板の他面から突出させた構造になっており、風船と前記他面の針は間隔をあけて設置されている
ことを特徴とする請求項１記載の煙害の発生しない風船を使った爆竹である。
【０００８】
請求項３の考案は、前記支持ユニットには、基板の頂端に吊架部材が設けられており、固定されている基板と一定の距離が設けられており、基板の中心には貫通孔が設けられており、梁部の全部、後部、および貫通孔に対応する位置には導入溝が設けられており、
作動ユニットは、引き綱に複数の風船がひとつながりに結び付けられた構造になっており、前記引き綱は順番に貫通孔、導入溝を通っており、前記引き綱を引いた時、前記引き綱が複数の風船を連動し、基板の爆破構造の方向に移動させるのに便利になっている
ことを特徴とする請求項１記載の煙害の発生しない風船を使った爆竹である。
【０００９】
請求項４の考案は、前記風船内は、一般の空気であることを特徴とする請求項１記載の煙害の発生しない風船を使った爆竹である。
【考案の効果】
【００１０】
本考案は、硫黄、硝石、炭素等の危険物を含んでいないので、製造上、使用上、非常に安全であり、本考案の連続する爆発音は作動ユニットによってその間隔を制御することができ、現在存在する電子爆竹よりも融通性があり、より変化に富んだ人間的な操作ができる。
【考案を実施するための最良の形態】
【００１１】
本考案の構造、特徴、その他の目的をさらに明らかにするため、好適な実施形態を図に沿って説明する。
【００１２】
図１、２、３に示すように、本考案は、支持ユニット１０と、複数個の風船３０と、作動ユニットとからなり、  
前記支持ユニット１０は、基板１１を有しており、前記基板１１の頂端には吊架部材１２が螺設されており、前記吊架部材１２上部の梁部はアングルからなり、天井板に容易に懸吊できるようになっており、基板１１を固定しており、基板１１と一定の距離が設けられており、基板１１の中心には貫通孔１４が設けられており、梁部１３の前部、後部、および貫通孔１４に対応する位置には導入溝１５、１５０、１５１が設けられており、各導入溝１５、１５０、１５１は水平に設置されており、その他、前記基板１１の周囲にはカラーテープ１６が垂設されており、基板１１の美観性を高めており、前記基板の一面には爆破構造が設けられており、前記爆破構造は若干の針２０を基板１１の一面から貫通させ、基板１１の他面から突出させた構造になっている。
【００１３】
複数の風船３０には、一般の空気が封入されており、基板１１の下方に位置が制限されており、風船３０の内部は一般の空気なので、自然に上昇することはなく、爆破構造と一定の距離を保たせるのに便利になっている。
【００１４】
作動ユニットは、風船３０を制御し、前記基板１１の爆破構造の方向へ移動させる構造になっており、引き綱４１に複数の風船３０がひとつながりに結び付けられており、前記複数の風船３０は引き綱４１の重量を受け、爆破構造と一定の距離を保つことができ、前記引き綱４１の一端は順番に貫通孔１４、導入溝１５１、１５０を通っており、もう一端は順番に貫通孔１４、導入溝１５１、１５を通っており、引き綱４１の両端は水平に設置されており、二人の人間によって引き綱４１の両端が引かれる時、前記引き綱４１は複数の風船３０を連動し、基板１１の爆破構造の方向に移動させ、前記風船３０を順番に前記爆破構造に接触させ、連続して爆発音を発生させることができる（図４を参照）。
【００１５】
その他、図５は本考案のもう一つの実施形態を示すものであり、本実施形態においては引き綱４１の底端に垂れ幕５０を設置することができ、状況に合った祝辞や図案などを懸吊することができ、祝賀行事などの時、会場の装飾として使用できる。
【００１６】
本考案は二点の優れた点を有する。
１  本考案は、硫黄、硝石、炭素等の危険物を含んでいないので、製造上、使用上、非常に安全である。
２  本考案の連続する爆発音は作動ユニットによってその間隔を制御することができ、現在存在する電子爆竹よりも融通性があり、より変化に富んだ人間的な操作ができる。
【００１７】
本考案は、上述の二点の構造特徴を有しており、今までにない新規性を有する考案であり、前記構造により、確実に爆竹に似た爆発音を発生させることができ、その間隔も調整することができ、さらに環境保護性を有するという優れた点を有しており、非常に傑出した優れた設計である。
【００１８】
上記説明は、本考案の好適な実施形態を示したものであり、本考案の実施範囲を限定するものではなく、本考案に基づく請求範囲内における同等の変化や修飾は全て本考案の範囲に含まれる。例えば、基板１１を地面に定位し、風船３０を基板１１の上方に懸吊し、作動ユニットによって風船３０を基板１１の爆破構造に方向に移動させる構造も同等の構造に属する。
【図面の簡単な説明】
【００１９】
【図１】本考案の第一の実施形態における斜視図である。
【図２】図１における風船部分を示す斜視図である。
【図３】本考案の第一の実施形態における側面図である。
【図４】本考案の第一の実施形態における使用時の様子を示す側面図である。
【図５】本考案の第二の実施形態を示す側面図である。
【符号の説明】
【００２０】
１０      支持ユニット
１１      基板
１２      吊架部材
１３      梁部
１４      貫通孔
１５      導入溝
１５０    導入溝
１５１    導入溝
１６      カラーテープ
２０      針
３０      風船
４１      引き綱
５０      垂れ幕
【図１】
0003109208.tif 000003
【図２】
0003109208.tif 000004
【図３】
0003109208.tif 000005
【図４】
0003109208.tif 000006
【図５】
0003109208.tif 000007